(57)【要約】【課題】リンクを連ねた折り畳み式の一対の柱を備えた仮設足場において、一対の柱の距離による制限を超えて、リンクの長手方向の寸法を大きくする。【解決手段】仮設足場は、上下方向に平行に配置された上ステージ及び下ステージと、上ステージと下ステージとの間を繋ぐ少なくとも一対の柱とを備える。一対の柱の各々は、上下方向に並んだ複数のリンクと、リンク間を回動可能に連結するヒンジとを有する折り畳み式の柱である。一対の柱が折り畳まれた状態において、一対の柱の各々にリンクが上下方向に折り重なった折り重なり部が形成され、一対の柱のうち一方の柱の折り重なり部と一対の柱のうち他方の柱の折り重なり部とが上下方向に並ぶ。【選択図】図７
2018053647.tif 000002
【特許請求の範囲】
【請求項１】
上下方向に平行に配置された上ステージ及び下ステージと、
前記上ステージと前記下ステージとの間を繋ぐ少なくとも一対の柱とを備え、
前記一対の柱の各々が、前記上下方向に並んだ複数のリンクと、リンク間を回動可能に連結するヒンジとを有する折り畳み式の柱であって、
前記一対の柱が折り畳まれた状態において、前記一対の柱の各々にリンクが前記上下方向に折り重なった折り重なり部が形成され、前記一対の柱のうち一方の柱の折り重なり部と前記一対の柱のうち他方の柱の折り重なり部とが前記上下方向に並ぶ、
仮設足場。
【請求項２】
前記一対の柱の上端部は、前記上ステージの長手方向に離間しており、
前記折り重なり部を形成しているリンクの長手方向の寸法が、前記一対の柱の上端部の離間距離の半分よりも大きい、
請求項１に記載の仮設足場。
【請求項３】
前記複数のリンクが、前記上ステージに固定された第１リンクと、前記下ステージに固定された第４リンクと、前記第１リンクと前記第４リンクとの間に設けられた第２リンク及び第３リンクとを含み、
前記第２リンク及び前記第３リンクにより前記折り重なり部が形成される、
請求項１又は２に記載の仮設足場。
【請求項４】
前記一対の柱のうち一方の柱の前記第４リンクの前記下ステージを基準とした高さが、折り畳まれた状態の前記一対の柱のうち他方の柱の前記折り重なり部の前記下ステージを基準とした高さと同じ又はそれよりも大きい、
請求項３に記載の仮設足場。
【請求項５】
前記一対の柱のうち一方の柱の前記第１リンクの前記上ステージを基準とした高さが、折り畳まれた状態の前記一対の柱のうち他方の柱の前記折り重なり部の前記上ステージを基準とした高さと同じ又はそれよりも大きい、
請求項３又は４に記載の仮設足場。
【請求項６】
全体が前記上ステージよりも上方へ突出しない格納位置から、少なくとも一部分が前記上ステージよりも上方へ突出した展開位置まで、前記上ステージに回動可能に設けられた吊金具を、更に備える、
請求項１〜５のいずれか一項に記載の仮設足場。
【請求項７】
前記上ステージの下部であって、折り畳まれた前記一対の柱と干渉しない位置に設けられた収納箱を、更に備える、
請求項１〜６のいずれか一項に記載の仮設足場。
【請求項８】
前記上ステージ及び前記下ステージの少なくても一方において、ステージ上で当該ステージと前記上下方向に重なった格納位置から、前記ステージから少なくとも一部がはみ出した展開位置まで、前記ステージに回動可能に設けられた転落防止板を、更に備える、
請求項１〜７のいずれか一項に記載の仮設足場。
【請求項９】
前記上ステージ及び前記下ステージの少なくとも一方が、前記上ステージ又は前記下ステージと前記上下方向に重なった格納位置から、前記上ステージ又は前記下ステージに直立した展開位置まで、前記上ステージ又は前記下ステージに回動可能に設けられた手摺を、更に備える、
請求項１〜８のいずれか一項に記載の仮設足場。
【請求項１０】
前記下ステージの下方に当該下ステージと平行に配置された追加の下ステージと、
前記下ステージと前記追加の下ステージとの間を繋ぐ、前記一対の柱と同様の構成を有する少なくとも一対の追加の柱とを、更に備える、
請求項１〜９のいずれか一項に記載の仮設足場。
【発明の詳細な説明】
【技術分野】
【０００１】
本発明は、建造物の各種作業に用いられる仮設足場の構造に関する。
【背景技術】
【０００２】
従来、建造物の各種作業に用いられる仮設足場において、足場組立工数を削減するために、その構成要素の一部が折り畳み可能であるものが知られている。特許文献１には、この種の仮設足場が開示されている。
【０００３】
特許文献１に記載の仮設足場は、吊り用の梁と、その梁から吊り下げられた一対の垂直枠と、一対の垂直枠間に渡された複数の水平枠とを備えている。そして、各垂直枠が、上下に並んで互いに回動可能に連結された複数のリンクで構成されており、各リンクの回動連結部が奇数置きに水平枠を介して連結されている。この仮設足場では、吊り用梁を降ろしたときには、垂直枠が蛇腹状に折り畳まれ、吊り用梁を吊り上げたときには、垂直枠が直線状に展開した状態となる。
【先行技術文献】
【特許文献】
【０００４】
【特許文献１】特開２０１１−２５６５９９号公報
【発明の概要】
【発明が解決しようとする課題】
【０００５】
しかし、上記特許文献１の仮設足場では、垂直枠は蛇腹状に折り畳まれるため、それを構成しているリンクの長さは、一対の垂直枠の距離の半分以下に制限される。
【０００６】
そこで、本発明では、リンクを連ねた折り畳み式の一対の柱を備えた仮設足場であって、一対の柱の距離による制限を超えて、リンクの長手方向の寸法を大きくすることの可能なものを提案することを目的とする。
【課題を解決するための手段】
【０００７】
本発明の一態様に係る仮設足場は、
上下方向に平行に配置された上ステージ及び下ステージと、前記上ステージと前記下ステージとの間を繋ぐ少なくとも一対の柱とを備え、
前記一対の柱の各々が、前記上下方向に並んだ複数のリンクと、リンク間を回動可能に連結するヒンジとを有する折り畳み式の柱であって、
前記一対の柱が折り畳まれた状態において、前記一対の柱の各々にリンクが前記上下方向に折り重なった折り重なり部が形成され、前記一対の柱のうち一方の柱の折り重なり部と前記一対の柱のうち他方の柱の折り重なり部とが前記上下方向に並ぶことを特徴としている。
【０００８】
上記構成の仮設足場では、一対の柱が折り畳まれた状態で、折り重なり部が干渉しない。よって、一対の柱の折り重なり部を形成しているリンクの長手方向の寸法を、一対の柱の上端部の離間距離の半分よりも大きくすることが可能である。つまり、一対の柱の上端部間の距離による制限を超えて、リンクの長手方向の寸法を大きくすることが可能である。
【発明の効果】
【０００９】
本発明によれば、リンクを連ねた折り畳み式の一対の柱を備えた仮設足場であって、一対の柱の距離による制限を超えて、リンクの長手方向の寸法を大きくすることの可能な仮設足場を提供することができる。
【図面の簡単な説明】
【００１０】
【図１】図１は、本発明の一実施形態に係る仮設足場の全体的な構成を示す概略正面図である。
【図２】図２は、図１に示す仮設足場の概略側面図である。
【図３】図３は、上段ユニットの平面図である。
【図４】図４は、吊金具とシャックル取付金具の構成を示す斜視図である。
【図５】図５は、下段ユニットの平面図である。
【図６】図６は、ヒンジの構成を示す拡大図である。
【図７】図７は、折り畳まれた状態の仮設足場の正面図である。
【図８】図８は、仮設足場の設置手順の流れ図である。
【図９】図９は、搬送用パレットに収容された仮設足場を示す図である。
【図１０】図１０は、吊金具を展開する様子を説明する図である。
【図１１】図１１は、上段ユニットの手摺が建て起こされた仮設足場の様子を説明する図である。
【図１２】図１２は、柱が展開している途中の仮設足場の様子を説明する図である。
【図１３】図１３は、柱が展開した仮設足場の様子を説明する図である。
【図１４】図１４は、変形例１に係る仮設足場の概略側面図である。
【図１５】図１５は、変形例２に係る仮設足場の折り畳まれた状態の概略側面図である。
【発明を実施するための形態】
【００１１】
次に、図面を参照して本発明の実施の形態を説明する。図１は、本発明の一実施形態に係る仮設足場１の概略正面図、図２は同じく側面図である。以下に説明する仮設足場１は、例えば、ＬＮＧタンクの建設工事において、内槽側板の据付、溶接、グラインダー、及び検査などの作業のための作業者の足場として好適である。但し、仮設足場１の適用はこれに限定されない。
【００１２】
図１及び図２に示すように、仮設足場１は、上段ユニット２と、下段ユニット３と、上段ユニット２と下段ユニット３との間を繋ぐ柱ユニット４とを備えている。以下では、仮設足場１のうち、建物側を「後」側、その反対側を「前」側として説明する。また、図１の紙面左右方向を「左右方向」として説明する。
【００１３】
〔上段ユニット２〕
図３は、上段ユニット２の平面図であり、図４は、吊金具２４とシャックル取付金具２５の構成を示す斜視図である。なお、図３に示す手摺２２は格納位置にあり、二点鎖線で示されている。図１〜４に示すように、上段ユニット２は、上ステージ２１と、上ステージ２１に設けられた手摺２２、収納箱２３、吊金具２４、シャックル取付金具２５、及び転落防止板２８とを備えている。
【００１４】
上ステージ２１は板状部材であって、平面視において、左右方向を長手方向とする長方形状を呈する。上ステージ２１の上面は、作業者の足場となる。上ステージ２１は、１又は複数の鋼板で形成されていてよく、更に、補強のためのフレームを有していてもよい。上ステージ２１の前後には、前起立部２１１と、後起立部２１２とが、それぞれ形成されている。
【００１５】
手摺２２は、バー２２１と、パネル２２２と、支柱２２３とを備えている。パネル２２２は、例えば、枠材と、枠材に張られたエキスパンドメタルとで構成されていてよい。パネル２２２は、左右方向に延びる長方形状を呈し、上ステージ２１の前部を左右方向に亘って覆うことができる。バー２２１は、パネル２２２と同様に左右方向に延びる棒状部材であって、パネル２２２の上部に固定されている。
【００１６】
パネル２２２の下部は、複数箇所において上ステージ２１の前部に回動可能に連結されている。これにより、手摺２２は、パネル２２２が前起立部２１１に当接している、即ち、パネル２２２が上ステージ２１に対し直立している「展開位置」から、パネル２２２の主面が上ステージ２１と平行であり且つ上ステージ２１と上下方向に重なった「格納位置」まで、パネル２２２の下部を中心として回動することができる。手摺２２は、展開位置において、支柱２２３とパネル２２２、及び、支柱２２３と上ステージ２１がそれぞれ締結具で締結されることで、展開位置で上ステージ２１に固定される。
【００１７】
収納箱２３は、上ステージ２１の下面から下方へ突出するように設けられた箱体であり、上ステージ２１の上面に開口している。収納箱２３の開口部には、上ステージ２１にいる作業者が開閉可能な扉２３１が設けられている。この扉２３１は、上ステージ２１の上面の一部を形成している。収納箱２３には、仮設足場１に上っている作業者が、建設作業に使用する工具や治具、仮設足場１の設置作業に使用する工具や治具や部品などが収められていてよい。
【００１８】
吊金具２４は、建造物の側板９に設けられた吊りフック９１と係止する、係止部材である。吊金具２４は、吊りフック９１が挿入されたのち係止される溝が形成された係止部２４１と、係止部２４１を上ステージ２１に固定するための一対の固定部２４２とを、一体的に有している。本実施形態において、係止部２４１は角パイプで形成されており、この各パイプの後面に吊りフックが挿入される溝が形成されている。また、本実施形態において、一対の固定部２４２は、係止部２４１を挟んで両側に設けられた板状片と溝形鋼で形成されている。各固定部２４２は、上ステージ２１の後起立部２１２と、締結具で締結される。
【００１９】
吊金具２４は、図４に示されるように、少なくとも一部分が上ステージ２１よりも上方に突出している「展開位置」で、上ステージ２１に固定されて使用される。この展開位置の吊金具２４の一対の固定部２４２のうち一方において上ステージ２１との締結を解除すれば、吊金具２４は他方の固定部２４２を中心として回転可能となる。そして、吊金具２４をその他方の固定部２４２を中心として１８０°回転させることにより、吊金具２４は「格納位置」に至る。格納位置に在る吊金具２４は、その全体が上ステージ２１から上方へ突出していない。
【００２０】
シャックル取付金具２５は、上ステージ２１の前部及び後部の上面に設けられている。本実施形態においては、上ステージ２１の前後４か所にシャックル取付金具２５が配置されている。各シャックル取付金具２５には、図示されないシャックルが取り付けられ、このシャックルに仮設足場１を吊り下げるためのワイヤの端部が掛けられる。
【００２１】
転落防止板２８は、左右方向を長手方向とする長方形状を呈する、板状部材である。本実施形態に係る上段ユニット２は、左右方向に並ぶ複数の転落防止板２８を有している。各転落防止板２８の下部は、上ステージ２１の後部に回動可能に連結されている。転落防止板２６は、主面が上ステージ２１と平行であり且つ上ステージ２１と上下方向に重複している「格納位置」から、上ステージ２１の後起立部２１２に当接して、その一部が上ステージ２１よりも後方にはみ出した「展開位置」まで、その下部を中心として回動することができる。展開位置にある転落防止板２８は、仮設足場１と側板９との間隙を塞いで、その間隙からの物体の落下を防止することができる。なお、格納位置に在る転落防止板２８と格納位置にある手摺２２とは、前者が下で後者が上となるように上下方向に重なっている。
【００２２】
〔下段ユニット３〕
図５は、下段ユニット３の平面図である。図１，２及び５に示すように、下段ユニット３は、下ステージ３１と、下ステージ３１に設けられた手摺３２及び転落防止板３３とを備えている。なお、図５に示す手摺３２及び転落防止板３３は格納位置にあり、そのうち手摺３２は二点鎖線で示されている。
【００２３】
下ステージ３１は、上段ユニット２の上ステージ２１と同様の板状部材であって、平面視において、左右方向を長手方向とする長方形状を呈する。下ステージ３１の上面は、作業者の足場となる。下ステージ３１の前後には、前起立部３１１と、後起立部３１２とが、それぞれ形成されている。
【００２４】
手摺３２は、上段ユニット２の手摺２２と実質的に同じ構成を有している。即ち、手摺３２は、バー３２１と、パネル３２２と、支柱３２３とを備えている。バー３２１は、パネル３２２の上部に固定されている。パネル３２２の下部は、下ステージ３１の前部に回動可能に連結されている。これにより、手摺３２は、パネル３２２が前起立部３１１に当接している、即ち、パネル３２２が下ステージ３１に対し直立している「展開位置」から、パネル３２２の主面が下ステージ３１と平行であり且つ下ステージ３１と上下方向に重複した「格納位置」まで、パネル３２２の下部を中心として回動することができる。手摺３２は、展開位置において、支柱３２３とパネル３２２、及び、支柱３２３と下ステージ３１がそれぞれ締結具で締結されることで、展開位置で下ステージ３１に固定される。
【００２５】
転落防止板３３は、左右方向を長手方向とする長方形状を呈する、板状部材である。本実施形態に係る下段ユニット３は、左右方向に並ぶ複数の転落防止板３３を有している。各転落防止板３３の下部は、下ステージ３１の後部に回動可能に連結されている。転落防止板３３は、主面が下ステージ３１と平行であり且つ下ステージ３１と上下方向に重複している「格納位置」から、下ステージ３１の後起立部３１２に当接して、その一部が下ステージ３１よりも後方にはみ出した「展開位置」まで、その下部を中心として回動することができる。展開位置にある転落防止板３３は、仮設足場１と側板９との間隙を塞いで、その間隙からの物体の落下を防止することができる。なお、格納位置に在る転落防止板３３と格納位置にある手摺３２とは、前者が下で後者が上となるように上下方向に重なっている。
【００２６】
〔柱ユニット４〕
図１及び図２に示すように、柱ユニット４は、少なくとも左右一対の柱５，６と、一対の柱５，６に架け渡されたブレース８とを備えている。本実施形態では、仮設足場１の前後それぞれに一対の柱５，６が設けられ、合計で４本の柱５，６が設けられている。
【００２７】
右の柱５と左の柱６は、左右非対称である。右の柱５は、第１リンク５１、第２リンク５２、第３リンク５３、及び、第４リンク５４の順に、上下方向に並ぶ複数のリンクが直列的に連結されて成る。また、左の柱６は、第１リンク６１、第２リンク６２、第３リンク６３、及び、第４リンク６４の順に、上下方向に並ぶ複数のリンクが直列的に連結されて成る。各柱５，６の第１リンク５１，６１は、上段ユニット２の上ステージ２１から下方へ突出するように、上ステージ２１に固定されている。各柱５，６の第４リンク５４，６４は、下段ユニット３の下ステージ３１から上方へ突出するように、下ステージ３１に固定されている。ブレース８の上部は柱６の上部に、ブレース８の下部は柱５の下部に、それぞれクランプで固定されている。
【００２８】
なお、仮設足場１の前部に設けられた一対の柱５，６と、後部に設けられた一対の柱５，６とは、第３リンク５３，６３の形状を除いて、実質的に同じ構成を有している。前部に設けられた一対の柱５，６の第３リンク５３，６３は直線状であるのに対し、後部に設けられた一対の柱５，６の第３リンク５３，６３はその一部が前方へ突出したクランク軸形状を呈している（図２、参照）。
【００２９】
各柱５，６のリンク同士の間はヒンジ７で連結されている。各ヒンジ７は、実質的に同一の構成を有している。ヒンジ７は、連結するリンクの端部同士を突合せて固定することができ、また、連結するリンクを相対的に１８０°の範囲内で回転させることができる。なお、ヒンジ７は、連結するリンクが前後方向の回転軸回りに回動可能であり、且つ、連結するリンクの端部が突合されて一直線上に並んだ状態でそれらの相対的な回動が規制される構成のものであれば足り、ヒンジ７の態様は本実施形態に限定されない。
【００３０】
図６は、ヒンジ７の構成を示す拡大図である。図６に示すヒンジ７は、連結するリンクのうち上側のリンクの下端部に固定されるオス部材７１と、下側のリンクの上端部に固定されるメス部材７２と、オス部材７１とメス部材７２とを回動可能に連結する連結具７３と、オス部材７１とメス部材７２とを固定する固定具７４とを備えている。なお、固定具７４は、図１に示すように、展開された柱ユニット４に装着され、図７に示すように折り畳まれた柱ユニット４には装着されない。
【００３１】
オス部材７１は、リンクの下端部に固定された同一形状の２枚のプレート７１１と、これらのプレート７１１を貫く２本のパイプ７１２から成る。２本のパイプ７１２は、リンクを間に挟んで一方と他方に設けられている。２本のパイプ７１２は、リンクの下端部よりも下方へ突出している。
【００３２】
メス部材７２は、リンクの上端部に固定された同一形状の２枚のプレート７２１から成る。２枚のプレート７２１は、間にパイプ７１２を挿入することができるように、パイプ７１２の延伸方向と平行に離間している。各プレート７２１は、リンクの上端部よりも上方へ突出した一対の突出部７２２を有している。一対の突出部７２２は、リンクを間に挟んで一方と他方に設けられている。各突出部７２２には、対応するパイプ７１２と連通可能な孔７２３が設けられている。
【００３３】
オス部材７１の２本のパイプ７１２のうち一方と、メス部材７２の一対の孔７２３のうち一方とに、軸状の連結具７３が挿通されている。この連結具７３により、オス部材７１とメス部材７２が連結具７３を中心として回動可能に連結されている。そして、オス部材７１に対しメス部材７２が回動することで、リンクの端部同士を突合せたり、リンク同士の間を折り曲げたりすることができる。そして、リンクの端部同士を突合せて、オス部材７１の２本のパイプ７１２のうち他方と、メス部材７２の一対の孔７２３のうち他方とに、軸状の固定具７４が挿通されることにより、オス部材７１とメス部材７２とが固定され、リンク同士がその端部を突合せた状態で固定される。
【００３４】
図７は、折り畳まれた状態の仮設足場１の正面図である。図７に示すように、柱ユニット４では、上段ユニット２の上ステージ２１と下段ユニット３の下ステージ３１とがその平行を維持しながら距離を縮めるように、各柱５，６を折り畳むことができる。一例では、柱ユニット４が折り畳まれると、上下のステージ２１，３１の距離は約１／４にまで縮小される。
【００３５】
前述の通り、各柱５，６はリンク同士の連結部に設けられたヒンジ７で屈曲することができる。右の柱５は、第２リンク５２及び第３リンク５３の延伸方向が各ステージ２１，３１の長手方向（即ち、左右方向）と平行となり、且つ、第２リンク５２と第３リンク５３が折り重なるように、折り畳まれる。折り畳まれた右の柱５において、第２リンク５２と第３リンク５３により折り重なり部５Ａが形成されている。折り畳まれた右の柱５の第２リンク５２と第３リンク５３の連結部と、左の柱６の第１リンク６１との間に、収納箱２３が配置されている。同様に、左の柱６は、第２リンク６２及び第３リンク６３の延伸方向が、各ステージ２１，３１の長手方向と平行となり、且つ、第２リンク６２と第３リンク６３が折り重なるように、折り畳まれる。折り畳まれた左の柱６において、第２リンク６２と第３リンク６３により折り重なり部６Ａが形成されている。
【００３６】
各柱５，６の第２リンク５２，６２及び第３リンク５３，６３の長手方向の寸法は、一対の柱５，６の上端部の離間距離の半分よりも大きい。そこで、折り畳まれた状態の一対の柱５，６において、一方の柱５の折り重なり部５Ａが、他方の柱６の折り重なり部６Ａよりも上方に位置することによって、折り重なり部５Ａ，６Ａの干渉を回避している。換言すれば、一方の柱５の折り重なり部５Ａと、他方の柱６の折り重なり部６Ａとが、互いに干渉しないで上下方向に並ぶように、各柱５，６の第１リンク５１，６１及び第４リンク５４，６４の長手方向の寸法が定められている。
【００３７】
具体的には、右の柱５の第４リンク５４（ヒンジ７のメス部材７２を含む）の下ステージ３１を基準とした高さＨ１は、左の柱６の折り重なり部６Ａ（ヒンジ７を含む）の下ステージ３１を基準とした高さＨ２と同じ又はそれよりも大きい。同様に、左の柱６の第１リンク６１（ヒンジ７のオス部材７１を含む）の上ステージ２１を基準とした高さＨ３は、右の柱５の折り重なり部５Ａ（ヒンジ７を含む）の上ステージ２１を基準とした高さＨ４と同じ又はそれよりも大きい。
【００３８】
〔仮設足場１の組立作業の流れ〕
ここで、図８を参照しながら、上記構成の仮設足場１の設置手順を説明する。図８は、仮設足場１の設置手順の流れ図である。
【００３９】
仮設足場１は、折り畳まれた状態で、搬送用パレット８０（図９、参照）に収容されて、建造物の建設現場へ搬送される。図７に示すように、折り畳まれた状態の仮設足場１では、上段ユニット２の手摺２２及び吊金具２４は格納位置にあり、下段ユニット３の手摺３２は格納位置にあり、柱ユニット４の各柱５，６は折り畳まれている。図９に示すように、搬送用パレット８０は、折り畳まれた状態の２つの仮設足場１を上下方向に重ねて収容することができる。
【００４０】
建設現場に搬入された仮設足場１は、折り畳まれた状態（図７）にある。ここから、先ず、上段ユニット２の吊金具２４を上ステージ２１に固定する（ステップＳ１）。ここで、図１０に示すように、吊金具２４を格納位置から展開位置へ回動し、吊金具２４の固定部２４２を上ステージ２１にピンやボルトなどの固定具で固定する。
【００４１】
次に、上段ユニット２の手摺２２を建て起こす（ステップＳ２）。ここで、図１１に示すように、パネル２２２（及びバー２２１）を格納位置から展開位置へ回動し、支柱２２３をパネル２２２と上ステージ２１のそれぞれと締結する。
【００４２】
続いて、上段ユニット２のシャックル取付金具２５にシャックルを取り付け、シャックルにワイヤを掛ける（ステップＳ３）。更に、上段ユニット２、又は、それに固定された柱６の上端部（即ち、第１リンク６１）に、ブレース８の上端部を取り付ける（ステップＳ４）。なお、ステップＳ３とＳ４とは、順番が入れ替わってもよい。
【００４３】
そして、ワイヤをクレーンで引き上げることにより、上ステージ２１を吊り上げる（ステップＳ５）。上ステージ２１を吊り上げると、折り畳まれていた柱５，６が展開する。なお、上ステージ２１を吊り上げる際に、上ステージ２１を垂直に持ち上げると柱５，６同士が干渉する。そこで、図１２に示すように、上ステージ２１を下ステージ３１に対して右斜め上方（図１２の矢印９５）へ移動させてから、図１３に示すように、左斜め上方（図１３の矢印９６）へ移動させる。そして、各柱５，６が展開してから（ステップＳ６）、各ヒンジ７に固定具７４を挿入し、ヒンジ７を固定する（ステップＳ７）。
【００４４】
続いて、下段ユニット３、又は、それに固定された柱５の下端部（即ち、第４リンク５４）にブレース８の下端部をクランプで固定する（ステップＳ８）。これにより、ブレース８が一対の柱５，６に取り付けられる。
【００４５】
上記のように柱５，６を展開したあとで、下段ユニット３の手摺３２を建て起こす（ステップＳ９）。ここで、手摺３２のパネル３２２（及びバー３２１）を格納位置から展開位置へ回動し、支柱３２３をパネル３２２及び下ステージ３１と締結する。
【００４６】
このようにして折り畳まれた状態から使用可能な状態に展開された仮設足場１を、建造物の側板９に設けられたフック９１に懸架する（ステップＳ１０）。ここで、側板９に設けられたフック９１を、上段ユニット２の吊金具２４に引っ掛けることにより、仮設足場１が側板９に吊り下げられる。最後に、上段ユニット２の転落防止板２８、及び、下段ユニット３の転落防止板３３を格納位置から展開位置まで回動させる（ステップＳ１１）。
【００４７】
以上の手順で、建設現場に仮設足場１を設置することができる。また、設置された仮設足場１を折り畳まれた状態に戻す際には、上記ステップＳ１〜Ｓ１１を逆に辿ればよい。このように、仮設足場１は、主要な構成部品が予め仮組みされており、それを展開させたり固定させたりする作業によって仮設足場１を設置することができる。従来の仮設足場１を設置・解体する場合と比較して、作業工数が少なく、且つ、作業も単純である。よって、作業者の技量に関わらず、安定した速度及び精度で仮設足場１の設置・解体を行うことができる。
【００４８】
以上に説明したように、本実施形態の仮設足場１は、上下方向に平行に配置された上ステージ２１及び下ステージ３１と、上ステージ２１と下ステージ３１との間を繋ぐ少なくとも一対の柱５，６とを備えている。この一対の柱５，６の各々が、上下方向に並んだ複数のリンク５１〜５４，６１〜６４と、リンク間を回動可能に連結するヒンジ７とを有する折り畳み式の柱である。そして、一対の柱５，６が折り畳まれた状態において、一対の柱５，６の各々にリンクが上下方向に折り重なった折り重なり部５Ａ，６Ａが形成され、一対の柱５，６のうち一方の柱５の折り重なり部５Ａと一対の柱５，６のうち他方の柱６の折り重なり部６Ａとが上下方向に並んでいることを特徴としている。
【００４９】
なお、本実施形態の仮設足場１では、一対の柱５，６の上端部は、上ステージ２１の長手方向に離間しており、折り重なり部５Ａ，６Ａを形成しているリンク５２，５３，６２，６３の長手方向の寸法が、一対の柱５，６の上端部の離間距離の半分よりも大きい。
【００５０】
このように、本実施形態に係る仮設足場１は、一対の柱５，６が折り畳まれた状態において折り重なり部５Ａ，６Ａが上下方向に並ぶように、つまり、折り重なり部５Ａ，６Ａが干渉しないように、一対の柱５，６が左右非対称に構成されている。よって、一対の柱５，６の折り重なり部５Ａ，６Ａを形成しているリンク５２，５３，６２，６３の長手方向の寸法を、一対の柱５，６の上端部の離間距離の半分よりも大きくすることが可能である。つまり、一対の柱の上端部間の距離による制限を超えて、リンク５２，５３，６２，６３の長手方向の寸法を大きくすることが可能である。これにより、ステージ２１，３１の長手方向の寸法に対し、より長い柱５，６を設けることが可能となる。
【００５１】
また、本実施形態の仮設足場１では、柱５を構成している複数のリンクが、ステージ２１，３１に固定された第１リンク５１，６１と、下ステージ３１に固定された第４リンク５４，６４と、第１リンク５１，６１と第４リンク５４，６４との間に設けられた第２リンク５２，６２及び第３リンク５３，６３とを含んでいる。そして、折り畳まれた柱５，６において、第２リンク５２，６２及び第３リンク５３，６３によって折り重なり部５Ａ，６Ａが形成されている。
【００５２】
前述の通り、第２リンク５２，６２及び第３リンク５３，６３の長手方向の寸法を、柱５，６間の距離の半分より大きくすることができるので、上記のように１組の折り重なり部５Ａ，６Ａで、柱５，６に十分な高さを与えることができる。よって、リンクの数を多くして幾重にも折り重ねる場合と比較して、構造がシンプルとなり、且つ、構成部品点数を削減することができる。
【００５３】
上記実施形態では、一対の柱５，６のうち一方の柱５の第４リンク５４の下ステージ３１を基準とした高さＨ１を、折り畳まれた状態の一対の柱５，６のうち他方の柱６の折り重なり部６Ａの下ステージ３１を基準とした高さＨ２と同じ又はそれよりも大きくすることで、折り重なり部５Ａ，６Ａを上下に並べて配置することができる。
【００５４】
また、上記実施形態に示すように、例えば、一対の柱５，６のうち一方の柱６の第１リンク６１の上ステージ２１を基準とした高さＨ３を、折り畳まれた状態の一対の柱５，６のうち他方の柱５の折り重なり部５Ａの上ステージ２１を基準とした高さＨ４と同じ又はそれよりも大きくすることで、折り重なり部５Ａ，６Ａを上下に並べて配置することができる。
【００５５】
上記実施形態に係る仮設足場１は、全体が上ステージ２１よりも上方へ突出しない格納位置から、少なくとも一部分が上ステージ２１よりも上方へ突出した展開位置まで、上ステージ２１に回動可能に設けられた吊金具２４を備えている。
【００５６】
また、上記実施形態に係る仮設足場１は、上ステージ２１の下部であって、折り畳まれた一対の柱５，６と干渉しない位置に設けられた収納箱２３を備えている。
【００５７】
また、上記実施形態に係る仮設足場１は、上ステージ２１及び下ステージ３１において、ステージ２１，３１上で当該ステージ２１，３１と上下方向に重なった格納位置から、ステージ２１，３１から少なくとも一部がはみ出した展開位置までステージ２１，３１に回動可能に設けられた転落防止板２８，３３を備えている。なお、上ステージ２１と下ステージ３１のうちいずれかが作業者の足場として利用されない場合は、上ステージ２１及び下ステージ３１のうち、少なくとも利用者の足場として利用される一方に、転落防止板２８，３３が設けられていてもよい。
【００５８】
更に、上記実施形態に係る仮設足場１は、上ステージ２１と上下方向に重なった格納位置から、上ステージ２１に直立した展開位置まで、上ステージ２１に回動可能に設けられた手摺２２を備えている。同様に、仮設足場１は、下ステージ３１と上下方向に重なった格納位置から、下ステージ３１に直立した展開位置まで、下ステージ３１に回動可能に設けられた手摺３２を備えている。なお、上ステージ２１と下ステージ３１のうちいずれかが作業者の足場として利用されない場合は、上ステージ２１及び下ステージ３１のうち、少なくとも利用者の足場として利用される一方に、手摺２２，３２が設けられていてもよい。
【００５９】
上記のように、本実施形態に係る仮設足場１では、吊金具２４、収納箱２３、転落防止板２８，３３、手摺３２，２２などの、従来はステージ２１，３１から独立している部品や後付される部品が、ステージ２１，３１に予め取り付けられている。これにより、建設現場での仮設足場１の設置作業の工数を減らすことができ、また、作業や搬送の効率化を図ることができる。
【００６０】
以上に本発明の好適な実施の形態を説明したが、本発明の精神を逸脱しない範囲で、上記実施形態の具体的な構造及び／又は機能の詳細を変更したものも本発明に含まれ得る。上記の構成は、例えば、以下のように変更することができる。
【００６１】
例えば、上記実施形態に係る仮設足場１は、上ステージ２１と下ステージ３１との上下２段のステージを有するが、仮設足場１は上下３段以上のステージを有していてもよい。例えば、図１４に示す変形例１に係る仮設足場１Ａでは、上記実施形態に係る仮設足場１に、下ステージ３１と平行に配置された追加の下ステージ３１’を含む追加の下段ユニット３’と、下ステージ３１と追加の下ステージ３１’との間を繋ぐ、追加の柱ユニット４’とを、更に備えている。下段ユニット３と追加の下段ユニット３’との間には、ブレース８’が架設されている。追加の下段ユニット３’は、上記実施形態に係る下段ユニット３と実質的に同じ構造を有していてよい。また、追加の柱ユニット４’は、柱ユニット４に含まれる一対の柱５，６と実質的に同じ構成を有する少なくとも一対の追加の柱５’，６’を有していてよい。なお、仮設足場が、上下４段以上のステージを有する場合も、上記３段のステージを有する仮設足場１Ａと同様に、追加の柱ユニット４’及び追加の下段ユニット３’を下方に繰り返す構成とすればよい。このように、仮設足場が上下３段以上のステージを有していても、折り畳み可能な下段及び上段ユニット、折り畳み可能な柱ユニットを備えることによって、コンパクトに折り畳み可能な仮設足場を実現することができる。
【００６２】
また、例えば、上記実施形態に係る仮設足場１では、柱ユニット４の各柱５，６に１箇所ずつの折り重なり部５Ａ，６Ａが設けられているが、各柱５，６に２箇所以上の折り重なり部５Ａ，６Ａが設けられていてもよい。例えば、図１５に示す変形例２に係る仮設足場１Ｂでは、柱ユニット４Ｂの各柱５，６に、二か所の折り重なり部５Ａ，６Ａが設けられている。なお、柱５は、第１リンク１５１〜第７リンク１５７の直列的に連結された７本のリンクから成り、各リンク間がヒンジで回動可能に連結されている。折り畳まれた柱５では、第２リンク１５２と第３リンク１５３、及び、第５リンク１５５と第６リンク１５６によって、折り重なり部５Ａが形成される。同様に、柱６は、第１リンク１６１〜第７リンク１６７の直列的に連結された７本のリンクから成り、各リンク間がヒンジで回動可能に連結されている。折り畳まれた柱６では、第２リンク１６２と第３リンク１６３、及び、第５リンク１６５と第６リンク１６６によって、折り重なり部６Ａが形成される。つまり、柱ユニット４Ｂは、上記実施形態に係る柱ユニット４を繰り返し、一部のリンクを共用した構造を有する。この場合も、一対の柱５，６のうち一方の折り重なり部５Ａと他方の折り重なり部６Ａとが上下方向に交互に並んでいる。このように、各柱５，６に２箇所以上の折り重なり部５Ａ，６Ａを設けることによって、柱５，６をステージ２１，３１の長手方向の寸法に対し、より長くすることができる。
【符号の説明】
【００６３】
１      ：仮設足場
２      ：上段ユニット
３      ：下段ユニット
４      ：柱ユニット
５      ：柱
５Ａ    ：折り重なり部
６      ：柱
６Ａ    ：折り重なり部
７      ：ヒンジ
８      ：ブレース
９      ：側板
２１    ：上ステージ
２２    ：手摺
２３    ：収納箱
２４    ：吊金具
２５    ：シャックル取付金具
２８    ：転落防止板
３１    ：下ステージ
３２    ：手摺
３３    ：転落防止板
５１〜５４，６１〜６４    ：リンク
７１    ：オス部材
７２    ：メス部材
７３    ：連結具
７４    ：固定具
８０    ：搬送用パレット
９１    ：フック
２２１  ：バー
２２２  ：パネル
２２３  ：支柱
２３１  ：扉
２４１  ：係止部
２４２  ：固定部
３２１  ：バー
３２２  ：パネル
３２３  ：支柱
７１１  ：プレート
７１２  ：パイプ
７２１  ：プレート
７２２  ：突出部
７２３  ：孔
【図１】
2018053647.tif 000003
【図２】
2018053647.tif 000004
【図３】
2018053647.tif 000005
【図４】
2018053647.tif 000006
【図５】
2018053647.tif 000007
【図６】
2018053647.tif 000008
【図７】
2018053647.tif 000009
【図８】
2018053647.tif 000010
【図９】
2018053647.tif 000011
【図１０】
2018053647.tif 000012
【図１１】
2018053647.tif 000013
【図１２】
2018053647.tif 000014
【図１３】
2018053647.tif 000015
【図１４】
2018053647.tif 000016
【図１５】
2018053647.tif 000017